(57)【要約】      （修正有）【課題】ボビンに巻かれた縫い糸が非使用時にからまったりほつれたりしないように、押さえる為の器具を提供する。【解決手段】一点を支点として、前方にアーム部、後方に指圧部を設け、これに圧力を加えることによりアーム部が開き、ボビンの糸巻き部を挟み込むことを特徴とする。【選択図】図１
2004359455.tif 000002
【特許請求の範囲】
【請求項１】
一点を支点として、前部にアーム部を形成し、後部に指圧部を設け、これに圧力を加えることによりアーム部が開き、ボビンの糸巻き部を挟みこむ事を特徴としたボビンの巻き糸のほつれ防止具。
【発明の詳細な説明】
【０００１】
【発明の属する技術分野】
この発明は、ミシンに使用するボビンに巻いた縫い糸が、非使用時にほつれたり、絡まったりするのを防ぐためのボビンの巻き糸ほつれ防止具に関するものである。
【０００２】
【従来の技術】
従来より、ボビンは下記の方法で保管されていた。
イ．ビニールや紙製の小袋に個別収納していた。
ロ．プラスチックの収納ケースにラバーを敷き、ボビンを個別にはめこむ穴を開けた専用ケースに収納していた。
ハ．プラスチックの収納ケース内がボビンサイズに仕切られた市販の専用ケースに収納していた。
ニ．垂直釜形式のミシンに使用するボビンケースに入れていた。
ホ．市販のボビンと糸巻き本体を結合する器具を用いていた。
【０００３】
【発明が解決しようとする課題】
そのために次のような問題点があった。
イ．小袋収納は、使用毎に小袋を開閉せねばならず、まとめ収納する際にかさばった。また、袋内での糸のほつれは防げなかった。
ロ．専用ケースは場所を取り、また多数のボビンを使用するようになると、価格も負担になった。
ハ．ボビンケース元々収納具ではないため、ケースから抜け落ちたりして、収納具としての機能は果たさなかった。
ニ．従来の技術のイ．ロ．ハ．ニ．はいづれも糸巻き本体とは別にボビンを収納するため、使用縫い糸の変更に際し糸巻き本体を用意するのとは別に、ボビン収納用小袋や専用ケースを開閉せねばならず、手間がかかった。
ホ．従来の技術のホは、糸巻き本体と合体させて収納が出来たが、手間がかかり、ボビンに巻いた縫い糸部分を押さえてないため、糸がゆるんでくるとほつれてしまったりしていた。
本発明は、以上の欠点を解決するためになされたものである。
【０００４】
【課題を解決するための手段】
一点を支点（１）として、前部にアーム部（２）を形成し、後部に加圧することによって前部アーム部（２）を開かせる為の指圧部（３）を設ける。
本発明は以上の構成よりなる、ボビンの巻き糸ほつれ防止具である。
【０００５】
【発明の実施の形態】
以下、本発明の実施の形態を説明する。
（イ）一点を支点（１）として、前部に内側へ向かって湾曲、あるいは屈折させた二本一対のアーム部（２）を設け、後部に指圧部（３）を設け、これに圧力を加えることによりアーム部（２）が開き、ボビンの糸巻き部を挟みこむ。その際、アーム部（２）内側に滑り止め（５）をほどこし、更にアーム部（２）を湾曲、あるいは屈折させる。
（ロ）．アーム部（２）内側には、ラバーのすべり止め（５）や、液状すべり止め（５）、あるいは筋状の切れ込み（５）を設ける事によって、アーム部（２）に挟みこんだボビンを、巻かれた縫い糸の厚さに関係なく逃がさないようにすることが可能である。
（ハ）ボビンを挟みこんだアーム部（２）に、常に適度な圧力を加えるために、バネ（４）を設ける。
（ニ）アーム部（２）の湾曲、屈折は、ボビンを挟みこんだ際にボビンを固定出来るものであれば、形状にはこだわらなくても良い。
（ホ）指圧部（３）は指圧可能であれば、形状にはこだわらなくても良いと考える。
（ヘ）バネ部（４）は適度な圧力を加えられるものであれば、形状にはこだわらなくても良い。
（ト）アーム部内側のすべり止め（５）は、ボビンを挟みこんだ際にボビンが滑らないものであれば、形状、素材にはこだわらなくて良い。
（チ）基本的に、軽量の鉄、アルニミウム、プラスチック、塩化ビニール、ゴム、スポンジ、繊維、アクリル、発泡ウレタン、合成樹脂、紙などが望ましいと考えるが、用途に応じて記述以外の素材もありえる。
【０００８】
本発明の使用に際しては、指圧部を指先で指圧することでアーム部が開き、縫い糸を巻いたボビンを挟みこみ、ミシン使用時に使用するボビンを固定することでほつれ防止が可能となる。
以下、本発明について、さらに他の実施例を図とともに説明する。
図３は本発明のアーム部（２）に挟みこんだボビンを適度な圧力で加圧する為にバネ部（４）を設けた実施形態である。
図４は本発明のアーム部（２）内側に挟みこんだボビンを逃さないように滑り止め（５）を設けた実施形態である。
図５は本発明のアーム部（２）の片側を半球形状にし、挟んだボビンがこの半球内に固定されることでボビンを逃さないようにした実施形態である。
図６は本発明のアーム部（２）の両側を半球形状にし、挟んだボビンがこの半球内に固定されることでボビンを逃さないようにした実施形態である。
図７は本発明のアーム部（２）先端を内側に屈折させる事により、挟んだボビンを固定し逃がさないようにした実施形態である。
図８は本発明のアーム部（２）全体をボビンにあわせて大きく湾曲させる事により、挟んだボビンを固定し逃がさないようにした実施形態である。
図９は本発明のアーム部（２）全体をゆるやかに湾曲させる事により、挟んだボビンを固定し逃がさないようにした実施形態である。
図１０は本発明の指圧部（３）の角を丸くし、指圧の際に指圧しやすく、安全にした実施形態である。
図１１は本発明の指圧部（３）の面積を広くし、指圧しやすくした実施形態である。
図１２は本発明のアーム部（２）に挟みこんだボビンを適度な圧力で加圧する為のバネ部（４）をコイル状にして設けた実施形態である。
図１３は本発明のアーム部（２）に挟みこんだボビンを適度な圧力で加圧する為のバネ部（４）をブリッジ状にして設けた実施形態である。
図１４は本発明のアーム部（２）に挟みこんだボビンを適度な圧力で加圧する為のバネ部（４）を、アーム部（２）の外側から加圧が可能になるようにしてバネ部（４）を設置した実施形態である。
図１５は本発明支点（１）に支点止め具部を設置した場合の他形状実施形態図である。ピン上下に面積の広い部分を設けることにより、支点（１）を固定するようにしたものである。
図１６は本発明支点（１）に支点
止め具部を設置した場合の他形状実施形態図である。ボルトを使用し反対側をナットで止めることにより、支点部（１）を固定するようにしたものである。
【０００９】
【発明の効果】
本発明を使用することによって、次のような効果が得られる。
イ．ボビンを個別収納する必要がなく、収納場所が少なくてすむ。
ロ．度々ミシン使用糸を変える際、手元にボビンを一時置きしておいても、ボビンに巻いた  縫い糸がほつれて来ない。
ハ．糸巻き本体と個別収納する必要がないため、出し入れの手間が省ける。
ニ．糸の色、種類が一目で判るため、多数の中から判別しやすい。
ホ．ボビンが少数の場合、裁縫道具箱に他裁縫道具と共にボビンを収納しておいても、糸が他道具にからまったり、箱から糸がはみ出して来たりする事がない。
ヘ．安価で製作可能なため、ボビンの数だけ購入しても負担が少ない。
【図面の簡単な説明】
【図１】本発明の斜視図
【図２】本発明の指圧部の斜視図
【図３】本発明のスプリング部の斜視図
【図４】本発明の滑り止め部の斜視図
【図５】本発明のアーム部における他の実施例図
【図６】本発明のアーム部における他の実施例図
【図７】本発明のアーム部における他の実施例図
【図８】本発明のアーム部における他の実施例図
【図９】本発明のアーム部における他の実施例図
【図１０】本発明の指圧部における他の実施例図
【図１１】本発明の指圧部における他の実施例図
【図１２】本発明のバネ部における他の実施例図
【図１３】本発明のバネ部における他の実施例図
【図１４】本発明のバネ部における他の実施例図
【図１５】本発明の支点止め他の実施例図
【図１６】本発明の支点止め他の実施例図
【符号の説明】
（１）支点
（２）アーム部
（３）指圧部
（４）バネ部
（５）すべり止め部
（６）支点止め部
【図１】
2004359455.tif 000003
【図２】
2004359455.tif 000004
【図３】
2004359455.tif 000005
【図４】
2004359455.tif 000006
【図５】
2004359455.tif 000007
【図６】
2004359455.tif 000008
【図７】
2004359455.tif 000009
【図８】
2004359455.tif 000010
【図９】
2004359455.tif 000011
【図１０】
2004359455.tif 000012
【図１１】
2004359455.tif 000013
【図１２】
2004359455.tif 000014
【図１３】
2004359455.tif 000015
【図１４】
2004359455.tif 000016
【図１５】
2004359455.tif 000017
【図１６】
2004359455.tif 000018